(57)【特許請求の範囲】
【請求項１】
原油の塩分濃度を決定するための方法であって、
ある体積の前記原油を混合ゾーンに導入するステップであって、前記原油が塩分を有するステップと、
ある体積の溶媒を前記混合ゾーンに導入するステップであって、前記溶媒は標準沸点が周囲空気温度よりも実質的に高いステップと、
均質化混合物を形成するために前記原油および前記溶媒を混合するステップと、
温度センサを使用して前記均質化混合物の温度測定を行うステップと、
一対の電極を使用して前記均質化混合物の伝導度測定を行うステップと、
前記均質化混合物の前記温度測定および前記伝導度測定に基づいて、前記均質化混合物の塩分濃度を決定するステップと、
前記均質化混合物の前記塩分濃度、前記原油の前記体積、および前記溶媒の前記体積に基づいて、前記原油の塩分濃度を決定するステップと、を含み、
前記溶媒は単一の溶媒を含み、前記単一の溶媒は、ＮＭＰ、エチルアルファ−ヒドロキシプロピオネート、ベンゾニトリル、ジプロピレングリコールジメチルエーテル、１−シクロヘキシル−２−ピロリドン、１−オクチル−２−ピロリドン、１−ドデシル−２−ピロリジノン、ジエチルグリコールモノブチルエーテル、トリエチレングリコールモノブチルエーテル、エチレングリコールブチルエーテル、プロピレングリコールブチルエーテル、ジ（プロピレングリコール）ブチルエーテル、プロピレングリコールプロピルエーテル、トリプロピレングリコール、およびジエチレングリコールモノエチルエーテルからなる群から選択される、方法。
【請求項２】
前記溶媒は標準沸点が１４０℃超である、請求項１に記載の方法。
【請求項３】
前記溶媒は水および原油の両方を単一の相に可溶化するように機能する請求項１または２に記載の方法。
【請求項４】
前記溶媒は前記原油との相対的エネルギー差の値が１．０未満である、請求項１〜３のいずれか１項に記載の方法。
【請求項５】
前記溶媒は本質的に前記単一の溶媒からなる、請求項１〜４のいずれか１項に記載の方法。
【請求項６】
前記溶媒は前記単一の溶媒からなる、請求項１〜５のいずれか１項に記載の方法。
【請求項７】
前記溶媒はアルコールおよびキシレンを含んでいない、請求項１〜６のいずれか１項に記載の方法。
【請求項８】
前記均質化混合物の前記塩分濃度を決定する前記ステップは、既知の混合物の温度を関数とする伝導度の検量線を得ることであって、前記既知の混合物が既知の塩分濃度を有することと、前記均質化混合物の塩分濃度を決定するために前記均質化混合物の前記伝導度を前記検量線と比較することとを含む、請求項１〜７のいずれか１項に記載の方法。
【請求項９】
前記方法は、原油１０００バーレル当たり０〜５０ポンド（ＰＴＢ）の塩分の範囲で前記原油の塩分濃度を決定するように機能する、請求項１〜８のいずれか１項に記載の方法。
【請求項１０】
前記方法は工業環境内で行われる、請求項１〜９のいずれか１項に記載の方法。
【請求項１１】
前記方法は沖合で行われる、請求項１〜１０のいずれか１項に記載の方法。
【請求項１２】
前記原油の塩分濃度が閾値より上のときに操作員に警報信号を送るステップをさらに含む、請求項１〜１１のいずれか１項に記載の方法。
【請求項１３】
前記閾値が１０ＰＴＢである、請求項１２に記載の方法。
【請求項１４】
温度センサを使用する前記均質化混合物の温度測定を行う前記ステップは、１より多い温度測定を含み、一対の電極を使用する前記均質化混合物の伝導度測定を行う前記ステップは、１より多い伝導度測定を含む、請求項１〜１３のいずれか１項に記載の方法。
【請求項１５】
連続的な伝導率測定の間で前記一対の電極を浄化するステップをさらに含む、請求項１４に記載の方法。
【請求項１６】
前記連続的な導電率測定の間で前記一対の電極を浄化する前記ステップは、前記一対の電極を流体で洗浄することを含み、前記流体は、前記溶媒、第２の溶媒、前記原油、およびそれらの組み合わせからなる群から選択され、前記第２の溶媒は、前記溶媒と同じではない、請求項１５に記載の方法。
【請求項１７】
原油の塩分濃度を決定するための装置であって、
均質化混合物容器へ挿入するのに適した一対の電極であって、前記均質化混合物容器は均質化混合物を保持するように機能し、前記均質化混合物は、原油および溶媒を含み、前記原油は塩分を含み、前記均質化混合物の伝導度を測定するように機能する一対の電極と、
前記溶媒を貯留するための溶媒貯留容器であって、前記均質化混合物容器に流体的に連結している溶媒貯留容器と、
前記一対の電極に電圧を提供するために前記一対の電極に電気的に連結している電源と、
前記均質化混合物の温度を測定するための温度センサと、
非一時的なコンピュータメモリを有する信号処理デバイスを定めるコンピュータであって、前記コンピュータは前記一対の電極および前記温度センサと電気的に連結しており、前記一対の電極および前記温度センサから測定データを受け取るように機能するコンピュータと、
読み取り可能な媒体に保持されたデータであって、伝導度の値、温度の値、および既知の混合物に関する対応する塩分濃度を含むデータと、
前記非一時的なコンピュータメモリに保持されたプログラム製品であって、以下のことが実行可能な命令で構成されるプログラム製品と、
（１）前記一対の電極および前記温度センサからの前記測定データと前記読み取り可能な媒体に保持された前記データとを比較すること、
（２）前記均質化混合物の塩分濃度を決定すること、ならびに
（３）溶媒の体積、原油の体積、および前記均質化混合物の塩分濃度の関係に基づいて、前記原油の塩分濃度を決定すること、
前記コンピュータと電気的に連結している表示デバイスであって、前記プログラム製品から前記均質化混合物の塩分濃度および前記原油の塩分濃度を受け取り、前記塩分濃度を読み取り可能な形式で表示するように機能する、表示デバイスと、を備え、
前記溶媒は単一の溶媒を含み、前記単一の溶媒は、ＮＭＰ、エチルアルファ−ヒドロキシプロピオネート、ベンゾニトリル、ジプロピレングリコールジメチルエーテル、１−シクロヘキシル−２−ピロリドン、１−オクチル−２−ピロリドン、１−ドデシル−２−ピロリジノン、ジエチルグリコールモノブチルエーテル、トリエチレングリコールモノブチルエーテル、エチレングリコールブチルエーテル、プロピレングリコールブチルエーテル、ジ（プロピレングリコール）ブチルエーテル、プロピレングリコールプロピルエーテル、トリプロピレングリコール、およびジエチレングリコールモノエチルエーテルからなる群から選択される、装置。
【請求項１８】
前記装置は、原油１０００バーレル当たりのポンド（ＰＴＢ）の塩分で０〜５０の範囲で前記原油の塩分濃度を検出するように機能する、請求項１７に記載の装置。
【請求項１９】
前記装置は工業環境内に設置される、請求項１７または１８に記載の装置。
【請求項２０】
前記装置は沖合に設置される、請求項１７〜１９のいずれか１項に記載の装置。
【請求項２１】
前記原油の塩分濃度が閾値より上のときに操作員に警報するように機能する警報信号をさらに備えている、請求項１７〜２０のいずれか１項に記載の装置。
【請求項２２】
前記閾値が１０ＰＴＢである請求項２１に記載の装置。
【請求項２３】
前記原油および前記溶媒を均質化混合容器に連続的に導入するように機能する流れ制御手段をさらに備えており、前記溶媒が単一溶媒である、請求項１７〜２２のいずれか１項に記載の装置。
【請求項２４】
前記原油および前記単一溶媒の前記流れを測定する１以上の流量計をさらに備えている、請求項２３に記載の装置。
【請求項２５】
前記原油および前記単一溶媒の適切な流速を確保してそれらが前記均質化混合物容器に導かれるように、前記原油および前記単一溶媒の前記流れが前記１以上の流量計で測定され、前記流れ制御手段で制御される、請求項２４に記載の装置。
【発明の詳細な説明】
【技術分野】
【０００１】
本発明は、原油試料の塩分濃度を測定するための方法および装置に関する。
【背景技術】
【０００２】
現在、原油生産および精製産業における塩分含量の測定は、ＡＳＴＭ  Ｄ３２３０またはＡＳＴＭ  Ｄ６４７０のいずれかの標準的基準方法に従っており、これらの両方は、本明細書において参照して取り込まれる。ＡＳＴＭ  Ｄ６４７０は、抽出ステップを必要とするので、オンライン測定に実用的ではない。ＡＳＴＭ  Ｄ３２３０は、従来のセンサおよび汎用装置の測定範囲に対する原油の抵抗を下げるために、３つの薬品、すなわちメタノール、ブタノールおよびキシレンの組み合わせ使用を必要としている。しかしながら、これらの溶媒は、極めて毒性、揮発性、および引火性であり、高温環境に設置される施設内でのそれらの取り扱いを特に困難にしている。
【０００３】
ＡＳＴＭ  Ｄ３２３０に概説された方法の指針は、伝導度の読みを可能とし、その読みと参照値とを比較するためにアルコール混合物に原油試料を希釈することとしている。この方法は、集めた試料に関してのオフライン、またはオンラインにも適用され得る。オフライン測定は、サンプリングと測定の間の時間差に起因するとされ得る、気体の脱着が同じでないことによるエラー、外気温度または原油温度の変化、薬品の不適切な混合および測定エラーの両方、ならびに報告されるデータの影響を受けやすい。オンライン測定は、手動でのサンプリングが回避でき、いくつかの潜在的エラーが妨げられる。しかしながら、高温環境では、火災、爆発、または中毒につながり得るため、揮発性溶媒の使用は得策ではない。ＡＳＴＭ  Ｄ３２３０の別の不利な点は、引火性に関わることや爆発の危険性のために現場で貯留される溶媒の量に制限があることである。
【０００４】
さらに、その揮発性から高温において起こりがちでさえあるが、それらのいずれの体積測定比の最小の調整が均質性を阻害し、測定の読みのエラーを引き起こすので、キシレン、メタノール、ブタノールは、正確な比率で加えられなければならない。このことは、複雑な測定手順につながり、それゆえに、潜在的エラーが導入される。加えて、これらの問題は、頻繁で注意深いメンテナンスを有する大規模な装置も必要とする。
【０００５】
従って、３つの掲載された薬品の使用を避け、代わりに単一の溶媒を使用する方法および装置を提供することは有益である。毒性が少なく、暑い気象条件下でより安定した溶媒を提供することも有益である。塩分を測定することができる方法および装置を提供することもまた有益である。
【発明の概要】
【０００６】
発明に係る方法および装置は、開示された１以上の利点を提供する。
【０００７】
ある体積の原油を混合ゾーンに導入するステップ、ある体積の溶媒を混合ゾーンに導入するステップ、均質化混合物を形成するように原油および溶媒を混合するステップ、温度センサを使用して均質化混合物の温度測定を行うステップ、一対の電極を使用して均質化混合物の伝導度測定を行うステップ、均質化混合物の温度測定および伝導度測定に基づいて、均質化混合物の塩分濃度を決定するステップ、ならびに均質化混合物の塩分濃度、原油の体積、および溶媒の体積に基づいて、原油の塩分濃度を決定するステップを経る原油の塩分濃度を決定するための方法。溶媒は、標準沸点が周囲空気温度よりも実質的に高い。
【０００８】
上記方法の一実施形態では、溶媒は標準沸点が１４０℃超であり、それにより、６０℃といった比較的高い周囲空気温度でさえも、比較的低い蒸気圧を可能とする。別の実施形態では、溶媒は水および原油の両方を単一の相に可溶化するように機能する。別の実施形態では、溶媒は、ハンセン溶解度理論にて定義される、原油との相対的エネルギー差の値が１．０未満を示し得る。別の方法の実施形態では、溶媒は単一の溶媒を含む。別の実施形態では、溶媒は本質的に単一の溶媒からなる。さらに別の実施形態では、溶媒は混合ゾーン内で他の溶媒の存在しない単一の溶媒を含む。別の実施形態では、単一の溶媒は、ＮＭＰ、エチルアルファ−ヒドロキシプロピオネート、ベンゾニトリル、ジプロピレングリコールジメチルエーテル、１−シクロヘキシル−２−ピロリドン、１−オクチル−２−ピロリドン、１−ドデシル−２−ピロリジノン、ジエチルグリコールモノブチルエーテル、トリエチレングリコールモノブチルエーテル、エチレングリコールブチルエーテル、プロピレングリコールブチルエーテル、ジ（プロピレングリコール）ブチルエーテル、プロピレングリコールプロピルエーテル、トリプロピレングリコール、およびジエチレングリコールモノエチルエーテルからなる群より選択される。別の実施形態では、溶媒はアルコールおよびキシレンを含んでいない。溶媒は、これまで実施されている方法におけるよりも揮発性が非常に低いので、より多くの量の溶媒が全体の安全性を下げることなく現場で貯留され得る。
【０００９】
別の実施形態では、均質化混合物の塩分濃度を決定するステップは、既知の混合物の温度を関数とする伝導度の検量線を得ること、および均質化混合物の塩分濃度を決定するために均質化混合物の伝導度を検量線と比較することのステップをさらに含むことができる。実施形態は、原油および溶媒の温度および体積、ならびに検量線または参照表のような他の同様な態様を含む均質化混合物の操作パラメータが与えられた、塩分濃度を決定するためのシステムを提供する。
【００１０】
別の実施形態では、方法は、原油１０００バーレル当たりのポンド（ＰＴＢ）の塩分で０〜５０の範囲で原油の塩分濃度を決定することができる。別の実施形態では、方法は工業環境内で有利に行われ得る。別の実施形態では、方法は沖合で行われる。
【００１１】
別の実施形態では、方法は、原油の塩分濃度が閾値より上のときに操作員に警報信号を送ることを含むことができる。一実施形態では、閾値は１０ＰＴＢである。警報信号の例は、可聴音および警報、点滅光、ポケットベルまたは電話を含む携帯型デバイスを介して供給される振動、ならびにモニター、ポケットベル、または電話に表示され得る表示メッセージを含んでいる。
【００１２】
別の実施形態では、温度センサを使用する均質化混合物の温度測定を行うステップは、１より多い温度測定を含み、一対の電極を使用する均質化混合物の伝導度測定を行うステップは、１より多い伝導度測定を含む。別の実施形態では、方法は、連続的な伝導率測定の間で前記一対の電極を浄化する工程をさらに含む。別の実施形態では、一対の電極を浄化する工程は、流体で達成し得る。流体は、溶媒と同じとすることができ、または前記溶媒とは異なる第２の溶媒とすることができ、または原油もしくは三つのいずれかの組み合わせとすることができる。
【００１３】
原油の塩分濃度を決定するために有益な装置は、一対の電極、溶媒貯留容器、電源、温度センサ、コンピュータ、読み取れる媒体に保持されたデータ、プログラム製品、および表示デバイスを備えている。一対の電極は、均質化混合物容器へ挿入するのに適しており、均質化混合物容器は均質化混合物が保持可能である。均質化混合物は原油および溶媒を含むことができ、原油は塩分を含み、一対の電極は、均質化混合物の伝導度を測定可能である。溶媒貯留容器は溶媒を貯留するために使用され、溶媒貯留容器は均質化混合物容器に流体的に繋がっている。電源は、一対の電極に電気的に繋がっており、電源は、電圧、つまり電気ポテンシャルエネルギーを一対の電極に提供するのに役立つ。温度センサは、均質化混合物の温度を測定する。コンピュータは、非一時的なコンピュータメモリを有する信号処理デバイスを備えている。コンピュータが一対の電極および温度センサから測定データを受け取り可能なように、コンピュータは一対の電極および温度センサと電気的に繋がっている。読み取り可能な媒体に保持されたデータは、伝導度の値、温度の値、ならびに原油および溶媒の既知の混合物に関する対応する塩分濃度を含んでいる。プログラム製品は非一時的なコンピュータメモリに保持され得る。プログラム製品は、（１）一対の電極および温度センサからの測定データと読み取り可能な媒体に保持されたデータとを比較すること、（２）均質化混合物の塩分濃度を決定すること、ならびに（３）溶媒の体積、原油の体積、および均質化混合物の塩分濃度の関係に基づいて、原油の塩分濃度を決定すること、を実行可能な命令を備えている。表示デバイスはコンピュータと電気的に繋がり得る。表示デバイスは、プログラム製品から均質化混合物の塩分濃度を受け取り可能で、前記塩分濃度を読み取り可能な形式で表示可能である。
【００１４】
別の実施形態では、装置は、０〜５０ＰＴＢの範囲で原油の塩分濃度を検出するのに有益である。さらに別の実施形態では、装置は工業環境内に設置され得る。別の実施形態では、装置は沖合に設置され得る。別の実施形態では、装置は、原油の塩分濃度が閾値より上のときに表示デバイスに警報信号を送信可能な警報システムをさらに備えることもできる。別の実施形態では、警報システムは、現場または遠隔施設の操作員が分かり得る視覚的信号もしくは可聴信号または両方のような警報信号を動作させることもできる。一実施形態では、閾値は、測定される原油の塩分で１０ＰＴＢとすることができる。
【００１５】
別の実施形態では、装置は、原油および溶媒を均質化混合容器に連続的に導入可能な流れ動制御手段をさらに備えることができる。別の実施形態では、装置は原油および溶媒の流れを測定する１以上の流量計をさらに備えることができ、溶媒が単一溶媒である。別の実施形態では、原油および単一溶媒の適切な流速を確保してそれらが均質化混合物容器に導かれるように、原油および単一溶媒の流れが１以上の流量計で測定され、流れ制御手段で制御される。
【図面の簡単な説明】
【００１６】
この発明のこれらのおよび他の特徴、態様、および優位性は、以下の説明、特許請求の範囲、および添付図面に関してより理解され得るだろう。しかしながら、図面は、本発明のいくつかの実施形態のみを示しており、他の同様に効果的な実施形態も認められ得るので、ゆえに本発明の範囲の限定と考慮されるべきではないことに留意すべきである。
【００１７】
【図１】ＡＳＴＭ−Ｄ３２３０の手順とともに使用するための装置を示したものである。
【００１８】
【図２】この発明の一実施形態を示したものである。
【発明を実施するための形態】
【００１９】
本発明は、いくつかの実施形態に関連して説明されるが、それらの実施形態には限定されることを意図していないことはもちろんである。一方、添付の特許請求の範囲によって定義される発明の趣旨および範囲に内に含まれ得るように、代替、変更、および等価なものが網羅されることは意図する。
【００２０】
この発明の様々な実施形態は、背景技術において最初に議論したようなＡＳＴＭ  Ｄ３２３０で使用される溶媒に関連する問題を効果的に避ける安定した溶液を提供する。本明細書において説明されている溶媒は改善された安定性を有しているので、測定の再現性および精度が改善されるほか、大量の溶媒を貯留するための性能も改善される。さらに、この発明の様々な実施形態に関連して使用される溶媒は、ＡＳＴＭ  Ｄ３２３０において使用されるものよりも毒性がなく、ゆえに健康や安全性の危険が軽減される。
【００２１】
この発明のある実施形態では、方法は、連続モードで行い得る。また、多重溶媒システムから削減して少ない装置が使用し得、それゆえに追加の投資費用を節約することができる。また、この発明の実施形態では、１つの単一の溶媒が１回使用されるので、ＡＳＴＭ  Ｄ３２３０において説明されている３種溶媒システムに比べ、物流および営業費用がかなり軽減される。さらに、ＡＳＴＭ  Ｄ３２３０は、原油試料を均質に単一相に分散させるために２つの極性溶媒を使用するが、それらの比率は正確でなければならない。かなりの量で存在するアスファルテン材料を溶解するためにキシレンがその後加えられる。この発明の一実施形態では、水および炭化水素を１つの相に可溶化が可能な単一の溶媒が使用される。ＡＳＴＭ  Ｄ３２３０に教示されているような方法は、原油成分を可溶化するためにキシレンを使用する。しかしながら、キシレンは、水に相対的に溶解しない。同様に、ブタノールおよびメタノールは水に溶解するが、油には溶解しない。しかしながら、キシレン内にすでに溶解しているものをとともに、アルコールはキシレンを溶解することができる。そのようにして、ＡＳＴＭ  Ｄ３２３０で教示されている溶媒は、それらの個々の容量内に原油および水の成分を可溶化するように機能するものではない。しかしながら、この発明の実施形態では、溶媒は、原油内で適切な溶解度を有するように選択され、溶媒が原油および水を一つの相になることができるように極性を有している。一実施形態では、水は、生産水を含む。
【００２２】
図１は、ＡＳＴＭ  Ｄ３２３０に従う装置の一般的な配置を示している。図１では、キシレン貯留１０、アルコール混合物貯留２０、およびナフサ貯留３０の三つの貯留容器がある。キシレンとアルコールの混合物（メタノールおよびブタノールを含む）が、それぞれライン１２および２２を介して均質化混合物容器４０に導入される。制御弁１５および２５は、それぞれの溶媒の流れを制御するのを手助けするのに使用される。正確な量の原油試料がライン３８を介して均質化混合物容器４０に導入され、制御弁４５によって制御される。すべての液体がそろい次第、均質混合物を配合するためにその後溶液は混合される。一対の電極５０および温度センサ６０が均質化混合物容器内に挿入される。一対の電極５０および温度センサ６０は、コンピュータ７０に繋がっている。ＡＳＴＭ  Ｄ３２３０では、試験の後の電極をすすぐためにナフサが使用される。ナフサは、開放制御弁３５によってライン３２を介して一対の電極５０に送られる。
【００２３】
図２は、この発明の実施形態を示している。図２では、溶媒貯留１１０は、図１からの３つの貯留容器（１０、２０、３０）と取り替える。同様に、制御弁１１５は、先の配置の３つの制御弁１５、２５、３５のための必要性から置き換えた。原油試料は、ライン３８を介して均質化混合物容器内に導入され、制御弁４５によって制御される。原油および溶媒が均質化混合物容器４０内に導入され次第、均質化混合物を配合するためにその後溶液は混合される。一対の電極５０および温度センサ６０が均質化混合物容器内に挿入される。一対の電極５０および温度センサ６０はコンピュータ７０に繋がっている。コンピュータ７０は、行われた温度および伝導度測定に基づいた原油試料の塩分濃度を裏で計算するために使用されるデータを備えている。
【００２４】
当業者は、伝導度の読みおよび温度の読みが行われ、原油試料の塩分濃度をコンピュータ７０が計算できるように、新しい検量栓が作られるべきであることは容易に理解するだろう。
検量方法
【００２５】
検量溶液は、ＡＳＴＭ  Ｄ３２３０規格に適合して調製された。一実施形態では、Ｎ−メチル−２−ピロリドン（ＮＭＰ）が溶媒として使用された。１５ｍＬのＮＭＰが乾燥した１００ｍＬの目盛り付きのガラス栓をした混合シリンダーに加えられた。１０ｍＬの中性油が１０ｍＬの目盛り付きのシリンダーを使用してその１００ｍＬの目盛り付きシリンダーに加えられた。１０ｍＬの目盛り付きシリンダーは、油が無くなるまでＮＭＰですすがれた。５０ｍＬの溶液となるまでＮＭＰが加えられた。混合シリンダーは栓をされ、約１分間激しく振られた。表１に従って、測定される塩分含量の範囲に適したある量の希釈混合塩溶液が加えられた。
【表１】
0006008948.tif 000002
【００２６】
ＮＭＰと原油の混合物は追加のＮＭＰでその後１００ｍＬに希釈された。再度、溶液に効果があるようにシリンダーは約３０秒間激しく振られ、その後、溶液は約５分間放置された。溶液は、その後乾燥した試験ビーカーに注がれた。
【００２７】
一対の電極がビーカー内の溶液内に素早く配置され、電極板の上端は必ず溶液の表面より下になっていた。電圧は一連の値に調整され、電流および電圧は記録された。電極はその後溶液から取り除かれ、ＮＭＰに続いてナフサですすがれ、そして乾燥された。上の手順は、関心の塩化物含量の範囲をカバーするのに必要とされる他の体積の混合塩溶液（希釈溶液）を使用して繰り返された。検量線を発展させるために、ブランク測定のために得られた値は、示された各標準試料の電流の読みから差し引かれた。
実験結果
【００２８】
一実施形態では、３つの溶媒がＮ−メチル−２−ピロリドン（ＮＭＰ）の単一溶液に置き換えられた。ＮＭＰの物理的特性は、表２にまとめられている。
【表２】
0006008948.tif 000003
【００２９】
上で概説された検量手順に適合する様々な塩分濃度が作られた。下記数式１は、伝導度の式を、温度、およびＮＭＰと原油の様々混合物に関する塩分濃度の関数として示している。
［数１］
伝導度＝ａ＋ｂ×塩分濃度＋ｃ×Ｔ
【００３０】
さらに、この発明の実施形態は、被検溶液中の原油の割合を増やすことで、電気的測定の精度を上げることもでき、結果として溶媒の全体的消費を低減することもできる。一実施形態では、ＡＳＴＭ  ３２３０で推奨されている１０％とは対照的に、原油含有量は均質化混合物の体積当たり３０％まで増やすことができる。
【００３１】
ＮＭＰに関して上で示されたような同様な結果は、次の溶媒を使用したときも見られた：エチルアルファ−ヒドロキシプロピオネート（登録商標ＶＥＲＴＥＣＢＩＯ  ＥＬ）、ベンゾニトリル、およびジプロピレングリコールジメチルエーテル（ＤＰＧＤＭＥ）。役に立つ溶媒の非包括的一覧が表３に示されている。
【表３】
0006008948.tif 000004
【００３２】
本発明は、その具体的実施形態に関連して説明されてきたが、多くの代替、変更、および変形が、前述の説明を考慮して当業者にとって当然であろうことは、明らかである。その結果、添付の特許請求の範囲の趣旨および広義の範囲に含まれるように、すべてのそのような代替、変更、および変形が包含されることが意図される。この発明は、開示された元素を適切に含み、からなり、本質的にからなり得、開示されていない元素なしにおいて実施され得る。
【図１】
0006008948.tif 000005
【図２】
0006008948.tif 000006